(57)【要約】【課題】本発明は、フローティングコネクタに関し、コンタクト用の誤挿入防止キーを設けて、嵌合性も損なわないようにすることが課題である。【解決手段】フローティング構造により位置ズレが修正され取り付け誤差を吸収できる雄コネクタと雌コネクタとの嵌合構造を有するフローティングコネクタにおいて、誤挿入防止用に設けられる誤挿入防止キーとしてキー部とキー溝とが前記雌雄のコネクタに対向して配設されており、前記雄コネクタと雌コネクタとを嵌合させる際に、コンタクトが配設されているコネクタ本体部の嵌合の位置合わせが行われる時の先または後に前記誤挿入防止キーの嵌合が行われるように、挿入方向におけるキー部の端面位置を当該キー部が設けられているコネクタ本体部の端面位置に対して前進または後退させた位置に設定されているフローティングコネクタ１である。【選択図】図１
2007103189.tif 000002
【特許請求の範囲】
【請求項１】
フローティング構造により位置ズレが修正され取り付け誤差を吸収できる雄コネクタと雌コネクタとの嵌合構造を有するフローティングコネクタにおいて、
誤挿入防止用に設けられる誤挿入防止キーとしてキー部とキー溝とが前記雌雄のコネクタに対向して配設されており、
前記雄コネクタと雌コネクタとを嵌合させる際に、コンタクトが配設されているコネクタ本体部の嵌合の位置合わせが行われる時の先または後に前記誤挿入防止キーの嵌合が行われるように、挿入方向におけるキー部の端面位置を当該キー部が設けられているコネクタ本体部の端面位置に対して前進または後退させた位置に設定されていること、
を特徴とするフローティングコネクタ。
【請求項２】
挿入方向におけるキー部の端面位置を当該キー部が設けられているコネクタ本体部の端面位置に対して後退させた位置に設定する場合には、前記コネクタ本体部の端面部に設けられた嵌合用のテーパ状ガイド部の後端位置と同じ位置かそれよりも後退させて誤挿入防止キーにおけるキー部の端面位置が設定されること、
を特徴とする請求項１に記載のフローティングコネクタ。
【発明の詳細な説明】
【技術分野】
【０００１】
本発明は、例えば、プリント基板に実装される雄コネクタと雌コネクタとの嵌合において、誤挿入防止キーを有して且つ嵌合時の位置ズレを吸収できるフローティングコネクタに関するものである。
【背景技術】
【０００２】
従来、フローティングコネクタとして、多方向への移動を可能にして位置ズレを吸収するように、コンタクトの導出部をプリント基板のランドパターンに弾性接触させるようにしたものが知られている（特許文献１参照）。
【０００３】
また、一方の筐体に設けられたピンコネクタを他方の筐体に設けられたフローティングコネクタ本体に嵌合させる電子機器において、前記ピンコネクタのフロントシェルの先端側を覆うようにガイド部材を設け、該ガイド部材の先端部に、、フロントシェル内へガイドする面取り部を設けたものが知られている（特許文献２参照）。
【特許文献１】特開２００２−９３５０２号公報
【特許文献２】特開平１１−１６６３３号公報
【発明の開示】
【発明が解決しようとする課題】
【０００４】
従来のフローティングコネクタの嵌合構造では、嵌合を容易にするために、図７乃至図８に示すように、嵌合方向への誘い込み用の面取り部であるガイド部３ｃ，６ａを設けたり、更には、多数のコンタクト３ａ，６ｂがある場合に、その番号の列びが逆にならないように誤挿入防止キーを設けたりしている。前記誤挿入防止キーは、例えば、雌コネクタ３側に左右両端側に突出したキー溝５と、雄コネクタ６側に左右両端部から突出して前記キー溝５に嵌合されるキー部６ｃとによるものである。しかしながら、嵌合時において、雌コネクタ３に対して雄コネクタ６が、図９に示すように、平行面内で回転してズレたりすると、前記面取り部の上部の水平面（端面３ｄ、端面６ｄ）が互いに衝突し、挿入しにくくなる。
このことは、嵌合を助けるための面取り部と、誤挿入を防止する誤挿入防止キーとの各々の作用が、同時に働くことになるので、そのタイミングが同時であるために位置ズレによって嵌合しないのか、誤挿入により嵌合しないのかが判別できないことになる。
本発明に係るフローティングコネクタは、このような課題を解決するために提案されたものである。
【課題を解決するための手段】
【０００５】
本発明に係るフローティングコネクタの上記課題を解決して目的を達成するための要旨は、フローティング構造により位置ズレが修正され取り付け誤差を吸収できる雄コネクタと雌コネクタとの嵌合構造を有するフローティングコネクタにおいて、誤挿入防止用に設けられる誤挿入防止キーとしてキー部とキー溝とが前記雌雄のコネクタに対向して配設されており、前記雄コネクタと雌コネクタとを嵌合させる際に、コンタクトが配設されているコネクタ本体部の嵌合の位置合わせが行われる時の先または後に前記誤挿入防止キーの嵌合が行われるように、挿入方向におけるキー部の端面位置を当該キー部が設けられているコネクタ本体部の端面位置に対して前進または後退させた位置に設定されていることである。
【０００６】
挿入方向におけるキー部の端面位置を当該キー部が設けられているコネクタ本体部の端面位置に対して後退させた位置に設定する場合には、前記コネクタ本体部の端面部に設けられた嵌合用のテーパ状ガイド部の後端位置と同じ位置かそれよりも後退させて誤挿入防止キーにおけるキー部の端面位置が設定されること、を含むものである。
【発明の効果】
【０００７】
本発明のフローティングコネクタによれば、面取り部によりコネクタ本体部の嵌合が行われる時の先または後に、誤挿入防止キーの嵌合が行われて、両嵌合作用のタイミングがずらされることになる。よって、夫々の前記嵌合作用が確実に行われるものである。
また、テーパ状ガイド部の後端位置と同じ位置かそれよりも後退させて誤挿入防止キーのキー部の端面位置を設定することで、嵌合作用と誤挿入防止作用とが、別々に時期をずらして行われるものである。
【発明を実施するための最良の形態】
【０００８】
本発明に係るフローティングコネクタにおける雄コネクタ１の一実施例は、図１乃至図２に示すように、雄コネクタにおける多数の弾性部を有するコンタクト１ａにより支持されて成るフローティング構造により、例えば水平面内の任意方向の位置ズレが修正され取り付け誤差を吸収できるフローティング部２を有する。
【０００９】
また、雄コネクタ１と雌コネクタ３とのコンタクト１ａ，３ａの嵌合において、当該コンタクト１ａの順番を逆にしないようにするため、誤挿入防止用に設けられる誤挿入防止キーとして雄コネクタ１側の突部であるキー部４と、雌コネクタ３側の凹部であるキー溝５とが、対向配置にして設けられている。なお、雌雄コネクタのいずれかにキー部４とキー溝５とを設けるかは任意である。また、図示した実施例に限らず、前記キー部４をコネクタ本体部１ｂに連続させて設けるか離隔された場所に設けるかも任意である。同様に、キー溝５についても、コネクタ本体部３ｂに連続させて設けるか離隔された場所に設けるかも任意である
【００１０】
前記雄コネクタ１と雌コネクタ３とを嵌合させる際に、コネクタ本体部１ｂの嵌合の位置合わせが行われた時の先または後に、前記誤挿入防止キー４，５の嵌合が行われるように、この一実施例では、挿入方向における雄コネクタ１のキー部４の端面４ａの位置を、図３（Ｃ）に示すように、当該コネクタ本体部１ｂの端面１ｃの位置よりも、αだけ後退させた位置に設定してある。
【００１１】
また、前記雄コネクタ１と雌コネクタ３との各コネクタ本体部１ｂ，３ｂの嵌合部における端面１ｃ，３ｄには、図３乃至図４に示すように、嵌合用のテーパ状ガイド部１ｄ，３ｃがある。前記端面４ａ，１ｃの位置との関係では、前記テーパ状ガイド部１ｄの後端位置と同じ位置かそれよりも後退させて、前記端面４ａの位置が設定されるものである。
【００１２】
このようにして、雄コネクタ１がフローティングコネクタとして形成される。これらのフローティングコネクタは通常ではプリント基板に実装された状態で、そのプリント基板同士を結合させる際に嵌合される。その使用における嵌合状態を説明する。図２に示すように、一方のプリント基板の雄コネクタ１を、他方のプリント基板の雌コネクタ３に嵌合させると、図５の左から右に順に示すように、雌コネクタ３のコネクタ本体部３ｂにおける嵌合溝３ｅに、雄コネクタ１のコネクタ本体部１ｂの先端部が入り込む。
【００１３】
すると、図６に示すように、雌雄コネクタ１，３におけるテーパ状ガイド部１ｄ，３ｃが網目で示す部分において、互いに摺接して嵌合溝３ｅに前記コネクタ本体部１ｂをガイドする。コネクタ本体部１ｂは、フローティング部２であるので、前記テーパ状ガイド１ｄにより水平方向で任意に移動できるものである。
【００１４】
前記コネクタ本体部１ｂが、図で下方向に差し込まれて、前記ガイド部１ｄ，３ｃでガイドされて前記嵌合溝３ｅに嵌合するように位置決めされた後、遅れてキー部４の端面４ａが、キー溝５に嵌合する位置にくる。このとき、雄コネクタ１が逆向きで、嵌合すべきキー溝５が存在しない場合には、前記キー部４の端面４ａが、コネクタ本体部３ｂの端面３ｄに衝突することになる。これにより、コンタクト１ａの誤挿入が防止される。
【００１５】
一方、前記キー部４とキー溝５とが対向して正常な嵌合関係にある場合には、前記ガイド部３ｃとガイド部１ｄ，４ｂとによりガイドされて、前記キー部４がキー溝５に嵌合する。前記嵌合作用において、コネクタ本体部１ｂ，３ｂ同士の嵌合作用を先にするのは、プリント基板同士の連結でもあるためフローティングコネクタの嵌合部分が見難いので、より嵌合部分の面積が大きい方が嵌合しやすく扱いやすいからである。
【００１６】
前記キー部４とキー溝５との嵌合は、コネクタ本体部１ｂ，３ｂにおけるコンタクト１ａ，３ａの接触の前に、行われるものである。誤挿入防止キーによる正常か否かの判断は、コンタクト１ａ，３ａの接触後であると非正常の時に、コネクタ本体部１ｂ，３ｂの一方を抜去させる負荷が大となるからである。
【００１７】
以上のように、フローティングコネクタの雄コネクタ１と雌コネクタ３との嵌合において、コネクタ本体部同士の嵌合とタイミングをずらせて、誤挿入防止キーの嵌合が行われ、コネクタの嵌合性能を悪化させることなく、コンタクトの順番を間違えないように誤挿入防止させる事が可能となる。
【図面の簡単な説明】
【００１８】
【図１】本発明に係るフローティングコネクタの雄コネクタ１を示す平面図（Ａ）と、正面図（Ｂ）とである。
【図２】同本発明のフローティングコネクタの雄コネクタ１の使用状態を説明する斜視図である。
【図３】同本発明のフローティングコネクタの雄コネクタ１におけるキー部４を示す平面図（Ａ）、一部拡大平面図（Ｂ）、一部拡大正面図（Ｃ）である。
【図４】フローティングコネクタにおける雌コネクタ３の一部拡大平面図（Ａ）、キー溝５を拡大して示す一部拡大平面図（Ｂ）、一部拡大縦断面図（Ｃ）である。
【図５】本発明のフローティングコネクタの雄コネクタ１の使用状態を説明する説明図である。
【図６】コネクタ本体部の誤挿入防止キー部の拡大平面図である。
【図７】本発明のフローティングコネクタの雌コネクタ３の一部平面図（Ａ）と、一部拡大平面図（Ｂ）、一部縦断面図（Ｃ）である。
【図８】本発明のフローティングコネクタの雄コネクタ６の一部平面図（Ａ）と、一部拡大平面図（Ｂ）、一部正面図（Ｃ）である。
【図９】従来の雄コネクタ６が、雌コネクタ３に対して回転して嵌合不能となった様子の説明図である。
【符号の説明】
【００１９】
１          雄コネクタ、                １ａ      コンタクト、
１ｂ        コネクタ本体部、            １ｃ      端面、
１ｄ        ガイド部、
２          フローティング部、
３          雌コネクタ、                ３ａ      コンタクト、
３ｂ        コネクタ本体部、            ３ｃ      ガイド部、
３ｄ        端面、                      ３ｅ      嵌合溝、
４          キー部、                    ４ａ      端面、
５          キー溝、
６          従来例の雄コネクタ、
６ａ        ガイド部、                  ６ｂ      コンタクト。
【図１】
2007103189.tif 000003
【図２】
2007103189.tif 000004
【図３】
2007103189.tif 000005
【図４】
2007103189.tif 000006
【図５】
2007103189.tif 000007
【図６】
2007103189.tif 000008
【図７】
2007103189.tif 000009
【図８】
2007103189.tif 000010
【図９】
2007103189.tif 000011